(57)【要約】【課題】  現用系と予備系に対応する光クロスコネクト装置において、故障に対する信頼性を高める。【解決手段】  ２ｎ×２ｎの光スイッチモジュールと、入力光信号１〜ｎをそれぞれ２分岐して現用系の入力ポート１〜ｎと予備系の入力ポートｎ＋１〜２ｎに接続するｎ個の光分岐器と、現用系の出力ポート１〜ｎと予備系の出力ポートｎ＋１〜２ｎの出力光信号の各一方を選択し、出力光信号１〜ｎとして出力するｎ個の出力光切替器とを備え、光スイッチモジュールは、現用系の入力ポートｉと出力ポートｊとの間の現用系パスに対して、入力ポートｉ＋ｎと出力ポートｊ＋ｎ、入力ポートｉと出力ポートｊ＋ｎ、入力ポートｉ＋ｎと出力ポートｊの予備系パスの設定を可能とする構成であり、出力光切替器は、出力ポートｊと出力ポートｊ＋ｎの切り替えに応じて出力光信号ｊを切り替える。【選択図】        図１
2008167242.tif 000002
【特許請求の範囲】
【請求項１】
入力ポート１〜２ｎ（ｎは２以上の整数）および出力ポート１〜２ｎを有し、２ｎ×２ｎの入出力ポート間で光信号のクロスコネクトを行う光スイッチモジュールと、
入力光信号１〜ｎをそれぞれ２分岐し、各一方の入力光信号１〜ｎを前記光スイッチモジュールの入力ポート１〜ｎに接続し、各他方の入力光信号１〜ｎを前記光スイッチモジュールの入力ポート（ｎ＋１）〜２ｎに接続するｎ個の光分岐器と、
前記光スイッチモジュールの出力ポート１〜ｎの出力光信号と、前記光スイッチモジュールの出力ポート（ｎ＋１）〜２ｎの出力光信号の各一方を選択し、出力光信号１〜ｎとして出力するｎ個の出力光切替器とを備え、
前記光スイッチモジュールは、前記入力ポート１〜ｎおよび前記出力ポート１〜ｎを現用系とし、前記入力ポート（ｎ＋１）〜２ｎおよび前記出力ポート（ｎ＋１）〜２ｎを予備系とし、現用系の入力ポートｉ（ｉは１〜ｎの整数）と出力ポートｊ（ｊは１〜ｎの整数）との間の現用系パスに対して、入力ポート（ｉ＋ｎ）と出力ポート（ｊ＋ｎ）との予備系パスに加えて、入力ポートｉと出力ポート（ｊ＋ｎ）との予備系パスおよび入力ポート（ｉ＋ｎ）と出力ポートｊの予備系パスの設定を可能とする構成であり、
前記出力光切替器は、前記光スイッチモジュールにおける前記出力ポートｊと前記出力ポート（ｊ＋ｎ）の切り替えに応じて出力光信号ｊを切り替える構成である
ことを特徴とする光クロスコネクト装置。
【請求項２】
入力ポート１〜２ｎｍ（ｎ，ｍは２以上の整数）および出力ポート１〜２ｎｍを有し、２ｎｍ×２ｎｍの入出力ポート間で光信号のクロスコネクトを行う光スイッチモジュールと、
入力波長多重光信号Ｓ１〜Ｓｍをそれぞれ２分岐するｍ個の光分岐器と、
前記ｍ個の光分岐器で分岐された各一方の入力波長多重光信号Ｓ１〜Ｓｍをｍ組の波長λ１〜λｎの光信号に分波し、各組ごとに前記光スイッチモジュールの入力ポート１〜ｎｍに接続する第１のｍ個の波長分波器と、
前記ｍ個の光分岐器で分岐された各他方の入力波長多重光信号Ｓ１〜Ｓｍをｍ組の波長λ１〜λｎの光信号に分波し、各組ごとに前記光スイッチモジュールの入力ポート（ｎｍ＋１）〜２ｎｍに接続する第２のｍ個の波長分波器と、
前記光スイッチモジュールの出力ポート１〜ｎｍから出力されるｍ組の波長λ１〜λｎの出力光信号をそれぞれ合波する第１のｍ個の波長合波器と、
前記光スイッチモジュールの出力ポート（ｎｍ＋１）〜２ｎｍから出力されるｍ組の波長λ１〜λｎの出力光信号をそれぞれ合波する第２のｍ個の波長合波器と、
前記第１のｍ個の波長合波器から出力される波長多重光信号と、前記第１のｍ個の波長合波器から出力される波長多重光信号をそれぞれ結合し、出力波長多重光信号Ｓ１〜Ｓｍとして出力するｍ個の光結合器と、
前記ｍ個の光分岐器と前記第２のｍ個の波長分波器との間、または前記第２のｍ個の波長合波器と前記ｍ個の光結合器との間に、所定の波長の光信号を通過させ、他の波長の光信号を阻止する光波長選択阻止器とを備え、
前記光スイッチモジュールは、前記入力ポート１〜ｎｍおよび前記出力ポート１〜ｎｍを現用系とし、前記入力ポート（ｎｍ＋１）〜２ｎｍおよび前記出力ポート（ｎｍ＋１）〜２ｎｍを予備系とし、現用系の入力ポートｉ（ｉは１〜ｎｍの整数）と出力ポートｊ（ｊは１〜ｎｍの整数）との間の現用系パスに対して、入力ポート（ｉ＋ｎｍ）と出力ポート（ｊ＋ｎｍ）との予備系パスに加えて、入力ポートｉと出力ポート（ｊ＋ｎｍ）との予備系パスおよび入力ポート（ｉ＋ｎｍ）と出力ポートｊの予備系パスの設定を可能とする構成であり、
前記光波長選択阻止器は、前記光スイッチモジュールの予備系の出力ポート（ｎｍ＋１）〜２ｎｍに出力される予備系パスを選択するときに、当該出力ポートに対応した波長の光信号を通過させて他の波長の光信号を阻止し、前記光スイッチモジュールの予備系の出力ポート（ｎｍ＋１）〜２ｎｍに出力される予備系パスを選択しないときには全波長の光信号を阻止する構成である
ことを特徴とする光クロスコネクト装置。
【請求項３】
請求項２に記載の光クロスコネクト装置において、
前記光波長選択阻止器に代えて、前記光スイッチモジュールの予備系の出力ポート（ｎｍ＋１）〜２ｎｍに出力される予備系パスのうち、出力しない波長の光信号については、波長対応の出力ポートとは異なる出力ポートに接続し、前記波長合波器を光波長選択阻止器として機能させる構成である
ことを特徴とする光クロスコネクト装置。
【請求項４】
請求項２に記載の光クロスコネクト装置において、
前記光スイッチモジュールの各出力ポートに波長変換器を備え、
前記波長選択阻止器に代えて、前記波長変換器に、前記光スイッチモジュールの予備系の出力ポート（ｎｍ＋１）〜２ｎｍに出力される予備系パスのうち、出力しない波長の光信号を阻止する機能を含む構成である
ことを特徴とする光クロスコネクト装置。
【請求項５】
請求項１に記載の光クロスコネクト装置において、
前記光スイッチモジュールの入出力ポートを現用系と予備系の２つの領域に分割し、それぞれの領域で現用系と予備系の入力ポートおよび出力ポートが、隣接しない所定の間隔が確保されるように規則性をもって配置される構成である
ことを特徴とする光クロスコネクト装置。
【請求項６】
請求項２〜４のいずれかに記載の光クロスコネクト装置において、
前記光スイッチモジュールの入出力ポートを各波長多重光信号ごとに２ｍ個の領域に分割し、その２ｍ個の領域で各波長に対応する入力ポートおよび出力ポートが、同一波長間で少なくとも隣接しない所定の間隔が確保されるように規則性をもって配置される構成である
ことを特徴とする光クロスコネクト装置。
【請求項７】
請求項１に記載の光クロスコネクト装置で現用系と予備系の切り替えを行う光クロスコネクト制御方法において、
前記光スイッチモジュールは、前記入力ポート１〜ｎおよび前記出力ポート１〜ｎを現用系とし、前記入力ポート（ｎ＋１）〜２ｎおよび前記出力ポート（ｎ＋１）〜２ｎを予備系とし、現用系の入力ポートｉ（ｉは１〜ｎの整数）と出力ポートｊ（ｊは１〜ｎの整数）との間の現用系パスに対して、入力ポート（ｉ＋ｎ）と出力ポート（ｊ＋ｎ）との予備系パスに加えて、入力ポートｉと出力ポート（ｊ＋ｎ）との予備系パスおよび入力ポート（ｉ＋ｎ）と出力ポートｊの予備系パスの設定を行い、
前記出力光切替器は、前記光スイッチモジュールにおける前記出力ポートｊと前記出力ポート（ｊ＋ｎ）の切り替えに応じて出力光信号ｊを切り替える
ことを特徴とする光クロスコネクト制御方法。
【請求項８】
請求項２に記載の光クロスコネクト装置で現用系と予備系の切り替えを行う光クロスコネクト制御方法において、
前記光スイッチモジュールは、前記入力ポート１〜ｎｍおよび前記出力ポート１〜ｎｍを現用系とし、前記入力ポート（ｎｍ＋１）〜２ｎｍおよび前記出力ポート（ｎｍ＋１）〜２ｎｍを予備系とし、現用系の入力ポートｉ（ｉは１〜ｎｍの整数）と出力ポートｊ（ｊは１〜ｎｍの整数）との間の現用系パスに対して、入力ポート（ｉ＋ｎｍ）と出力ポート（ｊ＋ｎｍ）との予備系パスに加えて、入力ポートｉと出力ポート（ｊ＋ｎｍ）との予備系パスおよび入力ポート（ｉ＋ｎｍ）と出力ポートｊの予備系パスの設定を行い、
前記光波長選択阻止器は、前記光スイッチモジュールの予備系の出力ポート（ｎｍ＋１）〜２ｎｍに出力される予備系パスを選択するときに、当該出力ポートに対応した波長の光信号を通過させて他の波長の光信号を阻止し、前記光スイッチモジュールの予備系の出力ポート（ｎｍ＋１）〜２ｎｍに出力される予備系パスを選択しないときには全波長の光信号を阻止する
ことを特徴とする光クロスコネクト制御方法。
【請求項９】
請求項８に記載の光クロスコネクト制御方法において、
前記光スイッチモジュールの予備系の出力ポート（ｎｍ＋１）〜２ｎｍに出力される予備系パスのうち、出力しない波長の光信号については、波長対応の出力ポートとは異なる出力ポートに接続し、前記波長合波器を光波長選択阻止器として機能させる
ことを特徴とする光クロスコネクト制御方法。
【請求項１０】
請求項１または請求項２に記載の現用系および予備系に対応する光クロスコネクト装置の増設を行う光クロスコネクト制御方法において、
前記光スイッチモジュールを第１の光スイッチモジュールとし、同じ構成の第２の光スイッチモジュールを用い、
前記第１の光スイッチモジュールの予備系の入力ポートおよび出力ポートに接続されていた光信号および光信号を、前記第２の光スイッチモジュールの現用系の入力ポートおよび出力ポートに接続替えを行い、
前記第１の光スイッチモジュールの予備系の入力ポートおよび出力ポートに、増設する光信号を接続する
ことを特徴とする光クロスコネクト制御方法。
【発明の詳細な説明】
【技術分野】
【０００１】
本発明は、複数の光信号の経路を切り替える光クロスコネクト装置および光クロスコネクト制御方法に関する。
【背景技術】
【０００２】
一般に、光ネットワークシステムでは、複数の光信号の経路を切り替えるために光クロスコネクト装置が用いられる。光クロスコネクト装置は、複数の光信号入力部と光信号出力部との間に配置されるスイッチ部において、任意の入力線と出力線を一意に接続し、また要求に応じて接続組み合わせの変更を可能とする構成である（特許文献１）。
【０００３】
図９は、光クロスコネクト装置の構成例を示す。図において、光クロスコネクト装置のスイッチ部には、構成の簡易さ、コスト、信頼性の観点から信号光を電気信号に変換せず、そのまま切り替えを行う光スイッチモジュール１０が用いられる。光スイッチモジュール１０は、入力信号光１〜ｎを入力するｎ本（ｎは２以上の整数）の入力ポートと、出力信号光１〜ｎを出力するｎ本の出力ポートを有する。光スイッチモジュール１０は、スイッチ制御回路（図示せず）の制御により各入力ポートと各出力ポートをそれぞれ接続する構成である。
【０００４】
図１０は、波長多重光伝送システムに用いられる光クロスコネクト装置の構成例を示す。図において、ｍ本（ｍは２以上の整数）の入力波長多重光信号Ｓ１〜Ｓｍは、波長分波器１２−１〜１２−ｍでそれぞれ波長λ１〜λｎ（ｎは２以上の整数）の光信号に分波して光スイッチモジュール１０の各入力ポートに入力される。光スイッチモジュール１０は、スイッチ制御回路（図示せず）の制御によりｎ×ｍ本の光信号をクロスコネクトし、波長λ１〜λｎごとにｍ組の各出力ポートに出力する。光スイッチモジュール１０の出力ポートから出力される波長λ１〜λｎごとにｍ組の光信号は、それぞれ対応する波長合波器１３−１〜１３−ｍで合波され、出力波長多重光信号Ｓ１〜Ｓｍとしてそれぞれ出力される。
【０００５】
ここで、波長合波器１３で波長多重する場合には、各光信号の波長が互いに異なっている必要があるが、一般に各光ファイバ伝送路の波長多重光信号に用いられる波長は、ここではそれぞれλ１〜λｎというように同じ場合が多い。そのため、各波長合波器１３に対応する光スイッチモジュール１０のｎ個の出力ポートには同じ波長の光信号がクロスコネクトされる場合もある。このような場合には、図１１に示すように、各波長合波器１３に対応する光スイッチモジュール１０のｎ個の出力ポートの一部または全部に波長変換器１４を備え、波長競合が起こった場合にはどちらかの波長を変換してから波長合波器１３に入力し、波長多重する構成がある。なお、波長変換器１４を入力ポート側に挿入する構成もある。
【０００６】
ここで、図９に示す光クロスコネクト装置では、光スイッチモジュール１０の故障に備えて、図１２に示すように予備系の光スイッチモジュール１１が用いられる。図１０または図１１に示す光クロスコネクト装置の場合も同様である。入力光信号１〜ｎは、光分岐器２１−１〜２１−ｎで分岐して現用系の光スイッチモジュール１０および予備系の光スイッチモジュール１１の各入力ポートに入力される。光スイッチモジュール１０，１１で入力光信号がクロスコネクトされ、各出力ポートから出力される出力光信号１〜ｎはそれぞれ出力光切替器２２−１〜２２−ｎで一方が選択されて出力される。スイッチ制御回路は、現用系の光スイッチモジュール１０に故障が発生した場合に予備系の光スイッチモジュール１１に切り替えることにより、ｎ本の光信号のクロスコネクトを継続することができる。
【特許文献１】特開平０６−２９２２４６号公報
【発明の開示】
【発明が解決しようとする課題】
【０００７】
ところで、図１２に示す冗長構成において、例えば現用系の光スイッチモジュール１０の入力ポート１と出力ポート２が接続され、同様に予備系の光スイッチモジュール１１の入力ポート１と出力ポート２が接続され、出力光切替器２２−１〜２２−ｎの選択により現用系から予備系への切り替えが可能になっている。すなわち、現用系の光スイッチモジュール１０の入力ポート１に障害が起きた場合、入力光信号１は予備系の光スイッチモジュール１１の入力ポート１から出力ポート２、出力光切替器２２−２を介して出力光信号２として出力可能である。ところが、この状態で予備系の光スイッチモジュール１１の出力ポート２に障害が発生すると、入力光信号１は不通になってしまう。
【０００８】
同様に、現用系の光スイッチモジュール１０の出力ポート２と、予備系の光スイッチモジュール１１の入力ポート（ｎ＋１）が同時に故障した場合にも入力光信号１は不通になる。
【０００９】
また、図１２に示す現用系および予備系を備えた従来のｎ×ｎの光クロスコネクト装置を例えば２ｎ×２ｎに拡張する場合には、ｎ×ｎの光スイッチモジュール１０，１１を２ｎ×２ｎタイプに交換することになるが、交換時の現用系光信号の瞬断は避けられない。
【００１０】
本発明は、現用系と予備系に対応する光クロスコネクト装置において、故障に対する信頼性を高めることができる光クロスコネクト装置および光クロスコネクト制御方法を提供することを目的とする。
【００１１】
また、本発明は、現用系および予備系を備えた光クロスコネクト装置において、現用系光信号の瞬断をせずに増設を容易にすることができる光クロスコネクト制御方法を提供することを目的とする。
【課題を解決するための手段】
【００１２】
第１の発明は、入力ポート１〜２ｎ（ｎは２以上の整数）および出力ポート１〜２ｎを有し、２ｎ×２ｎの入出力ポート間で光信号のクロスコネクトを行う光スイッチモジュールと、入力光信号１〜ｎをそれぞれ２分岐し、各一方の入力光信号１〜ｎを光スイッチモジュールの入力ポート１〜ｎに接続し、各他方の入力光信号１〜ｎを光スイッチモジュールの入力ポート（ｎ＋１）〜２ｎに接続するｎ個の光分岐器と、光スイッチモジュールの出力ポート１〜ｎの出力光信号と、光スイッチモジュールの出力ポート（ｎ＋１）〜２ｎの出力光信号の各一方を選択し、出力光信号１〜ｎとして出力するｎ個の出力光切替器とを備え、光スイッチモジュールは、入力ポート１〜ｎおよび出力ポート１〜ｎを現用系とし、入力ポート（ｎ＋１）〜２ｎおよび出力ポート（ｎ＋１）〜２ｎを予備系とし、現用系の入力ポートｉ（ｉは１〜ｎの整数）と出力ポートｊ（ｊは１〜ｎの整数）との間の現用系パスに対して、入力ポート（ｉ＋ｎ）と出力ポート（ｊ＋ｎ）との予備系パスに加えて、入力ポートｉと出力ポート（ｊ＋ｎ）との予備系パスおよび入力ポート（ｉ＋ｎ）と出力ポートｊの予備系パスの設定を可能とする構成であり、出力光切替器は、光スイッチモジュールにおける出力ポートｊと出力ポート（ｊ＋ｎ）の切り替えに応じて出力光信号ｊを切り替える構成である。
【００１３】
第２の発明は、入力ポート１〜２ｎｍ（ｎ，ｍは２以上の整数）および出力ポート１〜２ｎｍを有し、２ｎｍ×２ｎｍの入出力ポート間で光信号のクロスコネクトを行う光スイッチモジュールと、入力波長多重光信号Ｓ１〜Ｓｍをそれぞれ２分岐するｍ個の光分岐器と、ｍ個の光分岐器で分岐された各一方の入力波長多重光信号Ｓ１〜Ｓｍをｍ組の波長λ１〜λｎの光信号に分波し、各組ごとに光スイッチモジュールの入力ポート１〜ｎｍに接続する第１のｍ個の波長分波器と、ｍ個の光分岐器で分岐された各他方の入力波長多重光信号Ｓ１〜Ｓｍをｍ組の波長λ１〜λｎの光信号に分波し、各組ごとに光スイッチモジュールの入力ポート（ｎｍ＋１）〜２ｎｍに接続する第２のｍ個の波長分波器と、光スイッチモジュールの出力ポート１〜ｎｍから出力されるｍ組の波長λ１〜λｎの出力光信号をそれぞれ合波する第１のｍ個の波長合波器と、光スイッチモジュールの出力ポート（ｎｍ＋１）〜２ｎｍから出力されるｍ組の波長λ１〜λｎの出力光信号をそれぞれ合波する第２のｍ個の波長合波器と、第１のｍ個の波長合波器から出力される波長多重光信号と、第１のｍ個の波長合波器から出力される波長多重光信号をそれぞれ結合し、出力波長多重光信号Ｓ１〜Ｓｍとして出力するｍ個の光結合器と、ｍ個の光分岐器と第２のｍ個の波長分波器との間、または第２のｍ個の波長合波器とｍ個の光結合器との間に、所定の波長の光信号を通過させ、他の波長の光信号を阻止する光波長選択阻止器とを備え、光スイッチモジュールは、入力ポート１〜ｎｍおよび出力ポート１〜ｎｍを現用系とし、入力ポート（ｎｍ＋１）〜２ｎｍおよび出力ポート（ｎｍ＋１）〜２ｎｍを予備系とし、現用系の入力ポートｉ（ｉは１〜ｎｍの整数）と出力ポートｊ（ｊは１〜ｎｍの整数）との間の現用系パスに対して、入力ポート（ｉ＋ｎｍ）と出力ポート（ｊ＋ｎｍ）との予備系パスに加えて、入力ポートｉと出力ポート（ｊ＋ｎｍ）との予備系パスおよび入力ポート（ｉ＋ｎｍ）と出力ポートｊの予備系パスの設定を可能とする構成であり、光波長選択阻止器は、光スイッチモジュールの予備系の出力ポート（ｎｍ＋１）〜２ｎｍに出力される予備系パスを選択するときに、当該出力ポートに対応した波長の光信号を通過させて他の波長の光信号を阻止し、光スイッチモジュールの予備系の出力ポート（ｎｍ＋１）〜２ｎｍに出力される予備系パスを選択しないときには全波長の光信号を阻止する構成である。
【００１４】
また、第２の発明の光クロスコネクト装置において、光波長選択阻止器に代えて、光スイッチモジュールの予備系の出力ポート（ｎｍ＋１）〜２ｎｍに出力される予備系パスのうち、出力しない波長の光信号については、波長対応の出力ポートとは異なる出力ポートに接続し、波長合波器を光波長選択阻止器として機能させる構成としてもよい。
【００１５】
また、第２の発明の光クロスコネクト装置において、光スイッチモジュールの各出力ポートに波長変換器を備え、波長選択阻止器に代えて、波長変換器に、光スイッチモジュールの予備系の出力ポート（ｎｍ＋１）〜２ｎｍに出力される予備系パスのうち、出力しない波長の光信号を阻止する機能を含む構成としてもよい。
【００１６】
また、第１の発明の光クロスコネクト装置において、光スイッチモジュールの入出力ポートを現用系と予備系の２つの領域に分割し、それぞれの領域で現用系と予備系の入力ポートおよび出力ポートが、隣接しない所定の間隔が確保されるように規則性をもって配置される構成としてもよい。
【００１７】
また、第２の発明の光クロスコネクト装置において、光スイッチモジュールの入出力ポートを各波長多重光信号ごとに２ｍ個の領域に分割し、その２ｍ個の領域で各波長に対応する入力ポートおよび出力ポートが、同一波長間で少なくとも隣接しない所定の間隔が確保されるように規則性をもって配置される構成としてもよい。
【００１８】
第３の発明は、第１の発明の光クロスコネクト装置で現用系と予備系の切り替えを行う光クロスコネクト制御方法において、光スイッチモジュールは、入力ポート１〜ｎおよび出力ポート１〜ｎを現用系とし、入力ポート（ｎ＋１）〜２ｎおよび出力ポート（ｎ＋１）〜２ｎを予備系とし、現用系の入力ポートｉ（ｉは１〜ｎの整数）と出力ポートｊ（ｊは１〜ｎの整数）との間の現用系パスに対して、入力ポート（ｉ＋ｎ）と出力ポート（ｊ＋ｎ）との予備系パスに加えて、入力ポートｉと出力ポート（ｊ＋ｎ）との予備系パスおよび入力ポート（ｉ＋ｎ）と出力ポートｊの予備系パスの設定を行い、出力光切替器は、光スイッチモジュールにおける出力ポートｊと出力ポート（ｊ＋ｎ）の切り替えに応じて出力光信号ｊを切り替える。
【００１９】
第４の発明は、第２の発明の光クロスコネクト装置で現用系と予備系の切り替えを行う光クロスコネクト制御方法において、光スイッチモジュールは、入力ポート１〜ｎｍおよび出力ポート１〜ｎｍを現用系とし、入力ポート（ｎｍ＋１）〜２ｎｍおよび出力ポート（ｎｍ＋１）〜２ｎｍを予備系とし、現用系の入力ポートｉ（ｉは１〜ｎｍの整数）と出力ポートｊ（ｊは１〜ｎｍの整数）との間の現用系パスに対して、入力ポート（ｉ＋ｎｍ）と出力ポート（ｊ＋ｎｍ）との予備系パスに加えて、入力ポートｉと出力ポート（ｊ＋ｎｍ）との予備系パスおよび入力ポート（ｉ＋ｎｍ）と出力ポートｊの予備系パスの設定を行い、光波長選択阻止器は、光スイッチモジュールの予備系の出力ポート（ｎｍ＋１）〜２ｎｍに出力される予備系パスを選択するときに、当該出力ポートに対応した波長の光信号を通過させて他の波長の光信号を阻止し、光スイッチモジュールの予備系の出力ポート（ｎｍ＋１）〜２ｎｍに出力される予備系パスを選択しないときには全波長の光信号を阻止する。
【００２０】
また、第４の発明の光クロスコネクト制御方法において、光スイッチモジュールの予備系の出力ポート（ｎｍ＋１）〜２ｎｍに出力される予備系パスのうち、出力しない波長の光信号については、波長対応の出力ポートとは異なる出力ポートに接続し、波長合波器を光波長選択阻止器として機能させるとしてもよい。
【００２１】
第５の発明は、第１または第２の発明の現用系および予備系に対応する光クロスコネクト装置の増設を行う光クロスコネクト制御方法において、光スイッチモジュールを第１の光スイッチモジュールとし、同じ構成の第２の光スイッチモジュールを用い、第１の光スイッチモジュールの予備系の入力ポートおよび出力ポートに接続されていた光信号および光信号を、第２の光スイッチモジュールの現用系の入力ポートおよび出力ポートに接続替えを行い、第１の光スイッチモジュールの予備系の入力ポートおよび出力ポートに、増設する光信号を接続する。
【発明の効果】
【００２２】
第１および第３の発明は、ｎ×ｎの光スイッチモジュールを２つ用いて現用系と予備系を構成する光クロスコネクト装置に対して、２ｎ×２ｎの光スイッチモジュールを用い、現用系の入力ポートと出力ポート、予備系の入力ポートと出力ポートに分けて使用することにより、１つの現用系パスに対して３通りの予備系パスを形成することができる。これにより、故障に対する信頼性を高めることができる。
【００２３】
第２および第４の発明は、ｎｍ×ｎｍの光スイッチモジュールを２つ用いて現用系と予備系を構成し、波長多重光信号に対応する光クロスコネクト装置に対して、２ｎｍ×２ｎｍの光スイッチモジュールを用い、現用系の入力ポートと出力ポート、予備系の入力ポートと出力ポートに分けて使用することにより、１つの現用系パスに対して３通りの予備系パスを形成することができる。これにより、故障に対する信頼性を高めることができる。
【００２４】
第５の発明は、第１または第２の発明の現用系および予備系を備えた光クロスコネクト装置において、予備系の入力ポートおよび出力ポートを増設ポートとして利用することにより、現用系光信号の瞬断をせずに増設を容易にすることができる。
【発明を実施するための最良の形態】
【００２５】
（第１の実施形態）
図１は、本発明の光クロスコネクト装置の第１の実施形態を示す。
図において、入力光信号１〜ｎは、光分岐器２１−１〜２１−ｎで分岐して２ｎ×２ｎの光スイッチモジュール３０の現用系の入力ポート１〜ｎと予備系の入力ポート（ｎ＋１）〜２ｎにそれぞれ入力される。２ｎ×２ｎの光スイッチモジュール３０は、スイッチ制御回路（図示せず）の制御により２ｎ本の光信号をクロスコネクトして各出力ポートに出力する。光スイッチモジュール３０の現用系の出力ポート１〜ｎと予備系の出力ポート（ｎ＋１）〜２ｎからそれぞれ出力される各出力光信号は、出力光切替器２２−１〜２２−ｎでその一方が選択されてそれぞれ出力される。なお、出力光切替器２２−１〜２２−ｎは、常時は予備系の出力ポート（ｎ＋１）〜２ｎからの光信号を遮断し、現用系から予備系への切替時に導通させる構成としてもよい。
【００２６】
本実施形態の特徴は、現用系および予備系を有するｎ×ｎの光クロスコネクト装置として、図１２に示す従来の現用系および予備系を構成する光スイッチモジュール１０，１１に代えて１つの２ｎ×２ｎの光スイッチモジュール３０を用いたところにある。光スイッチモジュール３０の現用系の入力ポート１〜ｎと予備系の入力ポート（ｎ＋１）〜２ｎ、現用系の出力ポート１〜ｎと予備系の出力ポート（ｎ＋１）〜２ｎは、現用系の光スイッチモジュール１０および予備系の光スイッチモジュール１１の各入出力ポートに対応するが、２ｎ×２ｎの光スイッチモジュール３０では現用／予備間のパスをクロス横断的に設定できる。これにより、次のようなクロスコネクトが可能になる。
【００２７】
図１２において、現用系の光スイッチモジュール１０の入力ポート１と出力ポート２が接続され、同様に予備系の光スイッチモジュール１１の入力ポート１と出力ポート２が接続されている例で説明する。このとき、現用系の光スイッチモジュール１０の入力ポート１に障害が起きた場合、入力光信号１は予備系の光スイッチモジュール１１の入力ポート１から出力ポート２、出力光切替器２２−２を介して出力光信号２として出力される。このとき、予備系の光スイッチモジュール１１の出力ポート２に障害が発生すると、入力光信号１は不通になってしまう。
【００２８】
一方、図１に示す本実施形態の構成では、光スイッチモジュール３０の入力ポート１と出力ポート２の現用系経路が、入力ポート（ｎ＋１）と出力ポート（ｎ＋２）の予備系経路に迂回しているときに出力ポート（ｎ＋２）に障害が発生した場合に相当する。この場合には、入力ポート（ｎ＋１）と出力ポート２を接続し、出力光切替器２２−２で出力ポート２側を選択するように切り替えることにより、出力ポート（ｎ＋２）の障害を回避することができる。
【００２９】
また、図１２に示す現用系の光スイッチモジュール１０の出力ポート２と、予備系の光スイッチモジュール１１の入力ポート（ｎ＋１）が同時に故障した場合にも入力光信号１は不通になる。一方、図１に示す本実施形態の構成では、光スイッチモジュール３０の出力ポート２と入力ポート（ｎ＋１）の同時故障に相当するが、この場合でも入力ポート１と出力ポート（ｎ＋２）を接続し、出力光切替器２２−２で出力ポート（ｎ＋２）側を選択するように切り替えることにより、入力光信号１の不通を回避することができる。
【００３０】
このように、図１２に示す従来の現用系および予備系の構成は完全な冗長構成であって、一方の光スイッチモジュールの経路を他方の光スイッチモジュールの経路に切り替えることにより故障を回避する構成のため、上記の２例のように両系にまたがる二重故障の場合には対応が不可能である。それに対して、本実施形態の構成では図１に示す点線の経路により迂回経路が可能となり、信頼性を高めることができる。
【００３１】
（第２の実施形態）
図２は、本発明の光クロスコネクト装置の第２の実施形態を示す。
本実施形態の特徴は、図１０に示す波長多重光信号に対応する従来のｎｍ×ｎｍの光スイッチモジュール１０を現用系および予備系に対応させる場合に、図１２のように２つのｎｍ×ｎｍの光スイッチモジュール１０，１１を用いるのではなく、１つの２ｎｍ×２ｎｍの光スイッチモジュール３１で対応したところにある。その機能および効果は、図１２の現用系および予備系を有するｎ×ｎの光クロスコネクト装置に対する図１の第１の実施形態と同様である。
【００３２】
図において、光カプラ２１−１〜２１−ｍで分岐された一方の入力波長多重光信号Ｓ１〜Ｓｍは、現用系の波長分波器１２−１〜１２−ｍでｍ組の波長λ１〜λｎの光信号に分波し、２ｎｍ×２ｎｍの光スイッチモジュール３１の現用系の入力ポート１〜ｎｍに組ごとに入力される。また、光カプラ２１−１〜２１−ｍで分岐された他方の入力波長多重光信号Ｓ１〜Ｓｍは、予備系の波長分波器１２−（ｍ＋１）〜１２−２ｍでｍ組の波長λ１〜λｎの光信号に分波し、２ｎｍ×２ｎｍの光スイッチモジュール３１の予備系の入力ポート（ｎｍ＋１）〜２ｎｍに組ごとに入力される。
【００３３】
２ｎｍ×２ｎｍの光スイッチモジュール３１は、スイッチ制御回路（図示せず）の制御により２ｎｍ本の光信号をクロスコネクトして各出力ポートに出力する。２ｎｍ×２ｎｍの光スイッチモジュール３１の現用系の出力ポート１〜ｎｍから出力されるｍ組の波長λ１〜λｎの光信号は、それぞれ波長合波器１３−１〜１３−ｍで合波され、光結合器２６−１〜２６−ｍを介して出力波長多重光信号Ｓ１〜Ｓｍとしてそれぞれ出力される。また、２ｎｍ×２ｎｍの光スイッチモジュール３１の予備系の出力ポート（ｎｍ＋）〜２ｎｍから出力されるｍ組の波長λ１〜λｎの光信号は、それぞれ波長合波器１３−（ｍ＋１）〜１３−２ｍで合波され、光波長選択阻止器２３−１〜２３−ｍ、光結合器２６−１〜２６−ｍを介して出力波長多重光信号Ｓ１〜Ｓｍとしてそれぞれ出力される。
【００３４】
なお、現用系の波長合波器１３−１〜１３−ｍおよび予備系の波長合波器１３−（ｍ＋１）〜１３−２ｍには、２ｎｍ×２ｎｍの光スイッチモジュール３１でクロスコネクトされた光信号がそれぞれ入力される。通常、現用系のパスが正常な場合には、光波長選択阻止器２３−１〜２３−ｍで全波長の光信号を阻止し、光スイッチモジュール３１の予備系の出力ポート（ｎｍ＋）〜２ｎｍから出力された光信号が合流することを阻止する。
【００３５】
ここで、例えば２ｎｍ×２ｎｍの光スイッチモジュール３１の現用系の入力ポートｎｍから出力ポートｎにクロスコネクトされる入力波長多重光信号Ｓｍの波長λｎの光信号に障害が発生した場合には、出力波長多重光信号Ｓ１から波長λｎの光信号が欠落する。このとき、入力波長多重光信号Ｓｍの波長λｎの光信号の予備系は、入力ポート２ｎｍから出力ポートｎｍ＋ｎにクロスコネクトされており、対応する光波長選択阻止器２３−１で波長λｎの光信号を通過させ、他の波長の光信号の通過を阻止することにより、入力波長多重光信号Ｓｍの波長λｎの光信号が復旧するとともに、現用系と予備系の同一波長間の干渉を回避することができる。このような光波長選択阻止器は、２ｎｍ×２ｎｍの光スイッチモジュール３１の入力側で、光カプラ２１−１〜２１−ｍと予備系の波長分波器１２−（ｍ＋１）〜１２−２ｍとの間にそれぞれ挿入してもよい。
【００３６】
また、第１の実施形態と同様に、例えば入力波長多重光信号Ｓｍの波長λｎの光信号において、現用系の入力ポートｎｍから現用系の出力ポートｎへのクロスコネクト障害に対して、上記の予備系の入力ポート２ｎｍから予備系の出力ポート（ｎｍ＋ｎ）へのパスの他に、現用系の入力ポートｎｍから予備系の出力ポート（ｎｍ＋ｎ）へのパス、予備系の入力ポート２ｎｍから現用系の出力ポートｎへのパスなどにより障害復旧が可能になる。
【００３７】
（第３の実施形態）
図３は、本発明の光クロスコネクト装置の第３の実施形態を示す。
本実施形態は、図２に示す第２の実施形態と同じ機能を実現する他の形態を示す。図２の第２の実施形態における光波長選択阻止器２３−１〜２３−ｍに代わり、予備系の波長合波器１３−（ｍ＋１）〜１３−２ｍの接続ポートをシフトすることにより、実質的に光波長選択阻止器として機能させるものである。
【００３８】
図２の構成では、２ｎｍ×２ｎｍの光スイッチモジュール３１の予備系の出力ポート（ｎｍ＋１）〜（ｎｍ＋ｎ）と、波長合波器１３−（ｍ＋１）の波長λ１〜λｎのポートが接続され、予備系の各出力ポートにそれぞれ対応する波長がクロスコネクトされる。他の出力ポートと他の波長合波器とにおいても同様である。
【００３９】
一方、図３の構成では、２ｎｍ×２ｎｍの光スイッチモジュール３１の予備系の出力ポート（ｎｍ＋１）〜（ｎｍ＋ｎ）と、波長合波器１３−（ｍ＋１）の波長λ１〜λｎのポートが接続されるものの、予備系の出力ポート（ｎｍ＋１）〜（ｎｍ＋ｎ）に、例えば波長λ１〜λｎを１つ巡回させた光信号をクロスコネクトする。これにより、波長合波器１３−（ｍ＋１）は波長多重光信号を出力せず、出力光合流器２３−１からは現用系の波長合波器１３−１から出力される出力波長多重光信号Ｓ１が出力される。
【００４０】
ここで、例えば２ｎｍ×２ｎｍの光スイッチモジュール３１の現用系の入力ポートｎｍから出力ポートｎにクロスコネクトされる入力波長多重光信号Ｓｍの波長λｎの光信号に障害が発生した場合には、出力波長多重光信号Ｓ１から波長λｎの光信号が欠落する。このとき、入力波長多重光信号Ｓｍの波長λｎの光信号の予備系は、入力ポート２ｎｍから出力ポートｎｍ＋１にクロスコネクトされているところを、波長λｎに対応する本来の出力ポートｎｍ＋ｎに切り替える。これにより、入力波長多重光信号Ｓｍの波長λｎの光信号は、波長合波器１３−（ｍ＋１）、光結合器２６−１を介して出力波長多重光信号Ｓ１として出力される。なお、出力ポートｎｍ＋ｎにクロスコネクトされていた波長λ（ｎ−１）は、交代して出力ポートｎｍ＋１にクロスコネクトすることにより、波長合波器１３−（ｍ＋１）で遮断されたままとなる。
【００４１】
また、第２の実施形態と同様に、例えば入力波長多重光信号Ｓｍの波長λｎの光信号において、現用系の入力ポートｎｍから現用系の出力ポートｎへのクロスコネクト障害に対して、上記の予備系の入力ポート２ｎｍから予備系の出力ポート（ｎｍ＋ｎ）へのパスの他に、現用系の入力ポートｎｍから予備系の出力ポート（ｎｍ＋ｎ）へのパス、予備系の入力ポート２ｎｍから現用系の出力ポートｎへのパスなどにより障害復旧が可能になる。
【００４２】
また、第２の実施形態は、２ｎｍ×２ｎｍの光スイッチモジュール３１でクロスコネクトされ、さらに予備系の出力ポートに出力されて合波した波長多重光信号から波長選択阻止器２３で迂回させる波長のみを通過させる構成であったが、予備系の出力ポートに出力をオンオフする機能を付加してもよい。本機能は、通常（異常がない場合）、すべてのポートに対して出力を生じないように制御し、現用系に異常が生じた光信号（波長）に対してのみ、対応する波長の光信号の出力が生じるように制御する。
【００４３】
また、本機能としては、２ｎｍ×２ｎｍの光スイッチモジュール３１の予備系の各出力ポートに光スイッチまたは光可変減衰器を設置することにより対応可能である。また、２ｎｍ×２ｎｍの光スイッチモジュール３１の各出力ポートに波長変換器を備える構成であれば、波長変換器に同様の機能をもたせてもよい。また、光スイッチモジュールとして、後述する微小ミラーの角度制御により入出力ポート間の接続切り替えが可能な３次元ＭＥＭＳ光スイッチを用いる場合には、波長ごとの阻止または通過機能を付加的部品なしに実現できる。
【００４４】
（第４の実施形態）
図１に示す第１の実施形態の構成では、２ｎ×２ｎの光スイッチモジュール３０において、現用系と予備系の入力光信号１〜ｎが同時にクロスコネクトされる。また、図２〜図３に示す第２〜第３の実施形態の構成では、２ｎｍ×２ｎｍの光スイッチモジュール３１において、現用系と予備系の入力波長多重光信号Ｓ１〜Ｓｍの各波長の光信号が同時にクロスコネクトされる。この場合には、現用系と予備系に加えて、波長多重光信号の入出力方路数ｍに応じた同一波長の光信号がクロスコネクトされる。
【００４５】
ところで、光スイッチモジュール３０，３１として、３次元構成の光空間スイッチを用いた場合、近接するポート間でクロストークが多くなる。したがって、現用系と予備系の同じ光信号、あるいは波長多重系における同一波長の光信号は、光空間スイッチで近接しないポートに割り当てることにより、クロストークを低減することができる。以下、光スイッチモジュールを構成する光空間スイッチの３つの形態に分けて説明する。なお、ここでは現用系と予備系のみに対応する光スイッチモジュール３０を例に説明するが、波長多重系の光スイッチモジュール３１についても同様である。
【００４６】
図４は、光スイッチモジュール３０の第１の構成例を示す。図４において、光スイッチモジュール３０は、複数（２ｎ本）の光ファイバを２次元に配置した入力光ファイバアレイ３ａと出力光ファイバアレイ３ｂを対向させた構成である。入力光ファイバアレイ３ａの各光ファイバの角度と出力光ファイバアレイ３ｂの各光ファイバの角度を機械的可変機構によって変化させ、接続すべき光ファイバ間で双方の角度を光結合損失が小さくなるように調整して光ビームを空間伝搬させる。
【００４７】
本構成では、入力光ファイバアレイ３ａを現用系と予備系に２分割し、現用系のｎ本の入力ポートの位置と予備系のｎ本の入力ポートの位置をそれぞれ対応させ、現用系と予備系の各入力光信号が隣接しないように配置する。同様に、出力光ファイバアレイ３ｂを現用系と予備系に２分割し、現用系のｎ本の出力ポートの位置と予備系のｎ本の出力ポートの位置をそれぞれ対応させ、現用系と予備系の各出力光信号が隣接しないように配置する。
【００４８】
図５は、光スイッチモジュール３０の第２の構成例を示す。図５において、光スイッチモジュール３０は、複数（２ｎ個）のコリメータを２次元に配置したコリメータアレイ１ａ，１ｂと、複数（２ｎ個）のミラーを２次元に配置したＭＥＭＳ（Micro Electric Mechanical System) ミラーアレイ２を組み合わせた構成である。なお、入力ポート群を形成するコリメータアレイ１ａには、各コリメータに対応させて複数（２ｎ本）の光ファイバを２次元に配置した入力光ファイバアレイが接続される。出力ポート群を形成するコリメータアレイ１ｂには、各コリメータに対応させて複数（２ｎ本）の光ファイバを２次元に配置した出力光ファイバアレイが接続される。
【００４９】
ＭＥＭＳミラーアレイ２の各ミラーはＭＥＭＳ技術によりその角度が制御され、各ミラーの反射角度によって任意の入出力ポート間の接続（光パスの切り替え）が可能になっている。本構成では、コリメータアレイ１ａに対応する入力光ファイバアレイを現用系と予備系に２分割し、現用系のｎ本の入力ポートの位置と予備系のｎ本の入力ポートの位置をそれぞれ対応させ、現用系と予備系の各入力光信号が隣接しないように配置する。同様に、コリメータアレイ１ｂに対応する出力光ファイバアレイを現用系と予備系に２分割し、現用系のｎ本の出力ポートの位置と予備系のｎ本の出力ポートの位置をそれぞれ対応させ、現用系と予備系の各出力光信号が隣接しないように配置する。
【００５０】
図６は、光スイッチモジュール３０の第３の構成例を示す。図６において、光スイッチモジュール３０は、複数（２ｎ個）のコリメータを２次元に配置したコリメータアレイ１ａ，１ｂと、複数（２ｎ個）のミラーを２次元に配置したＭＥＭＳミラーアレイ２ａ，２ｂを組み合わせた構成である。入力ポート群を形成するコリメータアレイ１ａには、各コリメータに対応させて複数（２ｎ本）の光ファイバを２次元に配置した入力光ファイバアレイが接続される。出力ポート群を形成するコリメータアレイ１ｂには、各コリメータに対応させて複数（２ｎ本）の光ファイバを２次元に配置した出力光ファイバアレイが接続される。
【００５１】
ＭＥＭＳミラーアレイ２ａ，２ｂの各ミラーはＭＥＭＳ技術によりその角度が制御され、反射させる各ミラーの組み合わせによって任意の入出力ポート間の接続（光パスの切り替え）が可能になっている。本構成では、コリメータアレイ１ａに対応する入力光ファイバアレイを現用系と予備系に２分割し、現用系のｎ本の入力ポートの位置と予備系のｎ本の入力ポートの位置をそれぞれ対応させ、現用系と予備系の各入力光信号が隣接しないように配置する。同様に、コリメータアレイ１ｂに対応する出力光ファイバアレイを現用系と予備系に２分割し、現用系のｎ本の出力ポートの位置と予備系のｎ本の出力ポートの位置をそれぞれ対応させ、現用系と予備系の各出力光信号が隣接しないように配置する。
【００５２】
（第５の実施形態）
図７および図８は、本発明の光クロスコネクト装置の第５の実施形態を示す。なお、本実施形態は、図１に示す２ｎ×２ｎの光スイッチモジュール３０を例に説明するが、図２〜３に示す２ｎｍ×２ｎｍの光スイッチモジュール３１にも同様に適用可能である。
【００５３】
図７において、２ｎ×２ｎの光スイッチモジュール３０ａ、光分岐器２１−１〜２１−ｎ、出力光切替器２２−１〜２２−ｎは、第１の実施形態と同様であり、入力光信号１〜ｎと出力光信号１〜ｎとの間の現用系および予備系の切り替えを１つの２ｎ×２ｎの光スイッチモジュール３０ａで実現している。
【００５４】
本実施形態では、２ｎ×２ｎの光スイッチモジュール３０ａを用いて現用系と予備系を構成していたｎ×ｎの光クロスコネクト装置に対して、規模を２ｎ×２ｎの光クロスコネクト装置に増設する場合に適用される。入力光信号１〜ｎは、光分岐器２１−１〜２１−ｎを介して２ｎ×２ｎの光スイッチモジュール３０ａの入力ポート１〜ｎと入力ポート（ｎ＋１）〜２ｎに接続される。出力光信号１〜ｎは、２ｎ×２ｎの光スイッチモジュール３０ａの出力ポート１〜ｎと出力ポート（ｎ＋１）〜２ｎからの出力光信号を出力光切替器２２−１〜２２−ｎで切り替えて取り出される。また、光分岐器２１−１〜２１−ｎと２ｎ×２ｎの光スイッチモジュール３０ａの入力ポート（ｎ＋１）〜２ｎとの間は、光コネクタ２４−１〜２４−ｎを介して接続される。同様に出力光切替器２２−１〜２２−ｎと２ｎ×２ｎの光スイッチモジュール３０ａの出力ポート（ｎ＋１）〜２ｎとの間は、光コネクタ２５−１〜２５−ｎを介して接続される。
【００５５】
ここで、入力光信号（ｎ＋１）および出力光信号（ｎ＋１）を増設する場合について説明する。２ｎ×２ｎの光スイッチモジュール３０ａと同じ構成の２ｎ×２ｎの光スイッチモジュール３０ｂを追加する。関係する光コネクタ２４−１および光コネクタ２５−１は、それぞれ光コネクタ２４−１ａ，２４−１ｂ、光コネクタ２５−１ａ，２５−１ｂが結合したものとする。
【００５６】
入力光信号（ｎ＋１）は、光分岐器２１−（ｎ＋１）を介して光コネクタ２４−（ｎ＋１）ａおよび２ｎ×２ｎの光スイッチモジュール３０ｂの入力ポート（ｎ＋１）に接続する。２ｎ×２ｎの光スイッチモジュール３０ｂの入力ポート１〜ｎには、光コネクタ２４−（ｎ＋１）ｂ〜２４−２ｎｂが接続される。次に、光コネクタ２４−１ａ，２４−１ｂを切り離し、光コネクタ２４−（ｎ＋１）ａと光コネクタ２４−１ｂを接続し、光コネクタ２４−１ａと光コネクタ２４−（ｎ＋１）ｂを接続する。光コネクタ２４−２〜２４−ｎにおいても、それぞれ光コネクタ２４−２ａ〜２４−ｎａと光コネクタ２４−（ｎ＋２）ｂ〜２４−２ｎｂとの接続に切り替える。
【００５７】
出力光信号（ｎ＋１）は、出力光切替器２２−（ｎ＋１）を介して光コネクタ２５−（ｎ＋１）ａおよび２ｎ×２ｎの光スイッチモジュール３０ｂの出力ポート（ｎ＋１）に接続する。２ｎ×２ｎの光スイッチモジュール３０ｂの出力ポート１〜ｎには、光コネクタ２５−（ｎ＋１）ｂ〜２５−２ｎｂが接続される。次に、光コネクタ２５−１ａ，２５−１ｂを切り離し、光コネクタ２５−（ｎ＋１）ａと光コネクタ２５−１ｂを接続し、光コネクタ２５−１ａと光コネクタ２５−（ｎ＋１）ｂを接続する。光コネクタ２５−２〜２５−ｎにおいても、それぞれ光コネクタ２５−２ａ〜２５−ｎａと光コネクタ２５−（ｎ＋２）ｂ〜２５−２ｎｂとの接続に切り替える。
【００５８】
以上の光コネクタの接続切り替えにより、図８に示すように、入力光信号１の予備系は、光コネクタ２４−１ａ，２４−（ｎ＋１）ｂを介して、２ｎ×２ｎの光スイッチモジュール３０ｂの入力ポート１に入力される。同様に、入力光信号２〜ｎの予備系は、２ｎ×２ｎの光スイッチモジュール３０ｂの入力ポート２〜ｎに入力される。増設する入力光信号（ｎ＋１）の現用系は、光分岐器２１−（ｎ＋１）、光コネクタ２４−（ｎ＋１）ａ、光コネクタ２４−１ｂを介して、２ｎ×２ｎの光スイッチモジュール３０の入力ポートｎ＋１に入力される。出力光信号１の予備系は、光コネクタ２５−１ａ，２５−（ｎ＋１）ｂを介して、２ｎ×２ｎの光スイッチモジュール３０ｂの出力ポート１から取り出される。同様に、出力光信号２〜ｎの予備系は、２ｎ×２ｎの光スイッチモジュール３０ｂの出力ポート２〜ｎから取り出される。増設する出力光信号（ｎ＋１）の現用系は、出力光切替器２２−（ｎ＋１）、光コネクタ２５−（ｎ＋１）ａ、光コネクタ２５−１ｂを介して、２ｎ×２ｎの光スイッチモジュール３０ａの出力ポートｎ＋１から取り出される。
【００５９】
すなわち、入力光信号１〜ｎの現用系は２ｎ×２ｎの光スイッチモジュール３０ａの入力ポート１〜ｎ、予備系は２ｎ×２ｎの光スイッチモジュール３０ｂの入力ポート１〜ｎに接続される。増設する入力光信号（ｎ＋１）の現用系は、２ｎ×２ｎの光スイッチモジュール３０ａの入力ポート（ｎ＋１）、予備系は２ｎ×２ｎの光スイッチモジュール３１の入力ポート（ｎ＋１）に接続される。出力光信号１〜ｎの現用系は２ｎ×２ｎの光スイッチモジュール３０ａの出力ポート１〜ｎ、予備系は２ｎ×２ｎの光スイッチモジュール３０ｂの出力ポート１〜ｎに接続される。増設する出力光信号（ｎ＋１）の現用系は、２ｎ×２ｎの光スイッチモジュール３０ａの出力ポート（ｎ＋１）、予備系は２ｎ×２ｎの光スイッチモジュール３０ｂの出力ポート（ｎ＋１）に接続される。
【００６０】
ところで、図１２に示す現用系および予備系を備えた従来のｎ×ｎの光クロスコネクト装置を２ｎ×２ｎに拡張する場合には、ｎ×ｎの光スイッチモジュール１０，１１を２ｎ×２ｎタイプに交換することになるが、交換時の現用系光信号の瞬断は避けられない。これに対して、本実施形態の構成では、入力光信号１〜ｎおよび出力光信号１〜ｎの予備系側の光コネクタの接続替えにより増設に対応可能であるので、増設時にも現用系光信号の瞬断等を回避することができる。
【図面の簡単な説明】
【００６１】
【図１】本発明の光クロスコネクト装置の第１の実施形態を示す図。
【図２】本発明の光クロスコネクト装置の第２の実施形態を示す図。
【図３】本発明の光クロスコネクト装置の第３の実施形態を示す図。
【図４】光スイッチモジュール３０の第１の構成例を示す図。
【図５】光スイッチモジュール３０の第２の構成例を示す図。
【図６】光スイッチモジュール３０の第３の構成例を示す図。
【図７】本発明の光クロスコネクト装置の第５の実施形態を示す図。
【図８】本発明の光クロスコネクト装置の第５の実施形態を示す図。
【図９】光クロスコネクト装置の構成例を示す図。
【図１０】波長多重光伝送システムに用いられる光クロスコネクト装置の構成例を示す図。
【図１１】波長多重光伝送システムに用いられる光クロスコネクト装置の構成例を示す図。
【図１２】光クロスコネクト装置の冗長系の構成例を示す図。
【符号の説明】
【００６２】
１０，１１  ｎ×ｎの光スイッチモジュール
１２  波長分波器
１３  波長合波器
２１  光分岐器
２２  出力光切替器
２３  光波長選択阻止器
２４，２５  光コネクタ
２６  光結合器
３０  ２ｎ×２ｎの光スイッチモジュール
３１  ２ｎｍ×２ｎｍの光スイッチモジュール
【図１】
2008167242.tif 000003
【図２】
2008167242.tif 000004
【図３】
2008167242.tif 000005
【図４】
2008167242.tif 000006
【図５】
2008167242.tif 000007
【図６】
2008167242.tif 000008
【図７】
2008167242.tif 000009
【図８】
2008167242.tif 000010
【図９】
2008167242.tif 000011
【図１０】
2008167242.tif 000012
【図１１】
2008167242.tif 000013
【図１２】
2008167242.tif 000014